(57)【特許請求の範囲】
【請求項１】
胴部を押潰し変形可能とした容器と、容器口部を保持する容器保持部を具え前面を開放した容器ホルダーと、ポンプを保持し容器ホルダーの所定位置に着脱自在とされたポンプ支持枠と、吐出ノズルを取着しシリンダーの下面にシール部材を保持した吸込み筒を垂設したポンプとを備え、
容器ホルダーが、肩部に挿通孔を穿孔し、胴部の側壁に上端を係止面とした窓を設けており、
ポンプ支持枠が、ポンプを嵌着する取付筒を立設し、容器口部外周に係合する保持筒を垂設した台板と、容器ホルダーの挿通孔に嵌挿され、弾性復元可能な係止板を設けた側板とを具備し、
使用時には吸込み筒を容器口部に嵌着して容器を密封し、使用後に容器を取替え可能としたことを特徴とする吐出容器。
【請求項２】
容器が、フランジ状のネックリングを具えた口部と、薄肉の胴部とを具備しており、
容器ホルダーが、前面を開放した、容器保持部と肩部、胴部と底部とを具備し、
容器保持部に、容器口部のネックリングに嵌合する保持溝を設け、容器を容器ホルダーの前面から挿入し、容器口部を容器保持部に嵌着するようにしたことを特徴とする請求項１記載の吐出容器。
【請求項３】
ポンプが、シリンダーの下面に垂設され、外周面に環状のシール部材を保持するシール保持溝を設けた吸込み筒を具備しており、ポンプ支持枠の側板を容器ホルダーの挿通孔に嵌挿し、最下位まで押込んだときに、ポンプの吸込み筒が容器口部を密封するようにしたことを特徴とする請求項１または２記載の吐出容器。
【発明の詳細な説明】
【０００１】
【発明の属する技術分野】
本発明は、吐出容器、とくに内容液を収納する容器を取替え可能とした吐出容器に関する。
【０００２】
【従来の技術】
外装容器に吐出ノズルが取着された内側容器を装着し、内側容器を交換可能とした複合容器は、従来より知られている。
【０００３】
【発明が解決しようとする課題】
しかしながら、従来の複合容器は、両容器の結合手段として、ねじ結合、バヨネット結合が採用され、内側容器と外装容器を相互に廻動させなければならなかった。
内側容器の胴部が扁平状となると、外径を扁平容器の長径より大きくしなければならず、外装容器の外形を無用に大きくするという問題が生じ、内側容器は円筒形の容器に限られていた。
【０００４】
また、両容器の結合手段が、ねじ、或いはバヨネットによる場合は、両者を軸方向に相対的に移動させて外装容器を内側容器に被せなければならず、装着に時間がかかるという問題があった。
【０００５】
本発明は、上記の問題を解決することを課題として、胴部断面が扁平状の内側容器を横方向から外装容器に嵌挿するようにした容器を取替え可能とした吐出容器を提供することを目的とする。
【０００６】
【課題を解決するための手段】
本発明は、上記の課題を解決するため、吐出容器として、胴部を押潰し変形可能とした容器と、容器口部を保持する容器保持部を具え前面を開放した容器ホルダーと、ポンプを保持し容器ホルダーの所定位置に着脱自在とされたポンプ支持枠と、吐出ノズルを取着しシリンダーの下面にシール部材を保持した吸込み筒を垂設したポンプとを備え、使用時には吸込み筒を容器口部に嵌着して容器を密封し、使用後に容器を取替え可能とした構成を採用する。
【０００７】
吐出容器の具体的な実施態様として、胴部を押潰し変形可能とした容器と、容器口部を保持する容器保持部を具え前面を開放した容器ホルダーと、ポンプを保持し容器ホルダーの所定位置に着脱自在とされたポンプ支持枠と、吐出ノズルを取着しシリンダーの下面にシール部材を保持した吸込み筒を垂設したポンプとを備え、容器ホルダーが、肩部に挿通孔を穿孔し、胴部の側壁に上端を係止面とした窓を設けており、ポンプ支持枠が、ポンプを嵌着する取付筒を立設し、容器口部外周に係合する保持筒を垂設した台板と、容器ホルダーの挿通孔に嵌挿され、弾性復元可能な係止板を設けた側板とを具備し、使用時には吸込み筒を容器口部に嵌着して容器を密封し、使用後に容器を取替え可能としたことを特徴とする構成を採用する。
【０００８】
容器と容器ホルダーとの関連に係る実施態様として、容器が、フランジ状のネックリングを具えた口部と、薄肉の胴部とを具備しており、容器ホルダーが、前面を開放した、容器保持部と肩部、胴部と底部とを具備し、容器保持部に、容器口部のネックリングに嵌合する保持溝を設け、容器を容器ホルダーの前面から挿入し、容器口部を容器保持部に嵌着するようにしたことを特徴とする構成を採用する。
【０００９】
ポンプと容器との関連に係る実施態様として、ポンプが、シリンダーの下面に垂設され、外周面に環状のシール部材を保持するシール保持溝を設けた吸込み筒を具備しており、ポンプ支持枠の側板を容器ホルダーの挿通孔に嵌挿し、最下位まで押込んだときに、ポンプの吸込み筒が容器口部を密封するようにしたことを特徴とする構成を採用する。
【００１０】
【発明の実施の形態】
次に、本発明の実施形態について、図面を参照して説明する。
図１において、Ａは容器、Ｂは容器ホルダー、Ｃはポンプ支持枠、Ｄはポンプ支持枠に取着されたポンプ、Ｅは吐出ノズルである。
【００１１】
図１，２に示すように、容器Ａは、ブロー成形によって成形され、口部１と肩部２、胴部３と底部４とからなり、口部１外周にはねじ５が螺設され、その下方にはフランジ状のネックリング６が設けられ、扁平状の肩部２に続いている。
【００１２】
肩部２、胴部３の横断面の形状は、対向する円弧と辺によって形成される扁平状であり、胴部３は、前後の円弧壁７ａ，７ｂと左右の側壁８ａ，８ｂとからなっている。
側壁８ａ，８ｂの上部には、後方に偏寄して角形の凹部９が設けられている。肩部２の左右の壁面、胴部３の壁面は、薄肉に成形され、容器Ａの胴部３は底部４より折り曲げ、容易に折りたたみ丸め込めるようになっている。
【００１３】
図１，３に示すように、容器ホルダーＢは、容器保持部１０と、前面を開放した肩部１１と、胴部１２、底部１３とからなり、容器保持部１０は、ほぼ馬蹄形に延びる上下の壁面１４ａ，１４ｂと、上下の壁面１４ａ，１４ｂの外周に連設する側周壁１５とを具えている。
上下の壁面１４ａ，１４ｂと側周壁１５によって断面コ字状の保持溝１６が形成されており、該保持溝１６は、円弧部と対向する直線部とからなっており、直線部の前端は、挿入口１７となっている。
【００１４】
肩部１１は、壁面１４ｂに続く後壁１８と側壁１９ａ，１９ｂとからなり、側壁１９ａ，１９ｂの下端部には、板体の挿通孔２０が穿孔されている。
【００１５】
胴部１２は、円弧状の湾曲面によって形成され、後壁１８に続く円弧壁２１と、側壁１９ａ，１９ｂに続く左右の側壁２２ａ，２２ｂとからなっており、両側壁２２ａ，２２ｂの所定の位置には、上端を係止面２３とする窓２４が穿孔されている。
【００１６】
底部１３は、胴部１２の円弧壁２１と側壁２２ａ，２２ｂの下端に連設されており、容器保持部１０の挿入口１７、肩部１１の側壁１９ａ，１９ｂ、胴部１２の側壁２２ａ，２２ｂの前端面は、垂直面によって切断されて面一となっている。  各前端面は、容器ホルダーＢの前面を開放した共通の端縁２５を形成しており、容器Ａの胴部３前面の円弧壁７ａを残して、容器Ａの大部分を覆い、収納する収納ケースを形成している。
【００１７】
図４に示すように、ポンプ支持枠Ｃは、台板３０とその側周縁より垂設された側板３１ａ，３１ｂとを具えている。
台板３０の中央部には、開口が設けられ、開口周縁に沿って取付筒３２が立設されており、その下部３２ａは台板３０の下方に突出し、下端には内方に突出する突出環３３が突設されている。
【００１８】
取付筒３２の上部外周面には、ねじ３４が螺設されている。
台板３０の下面には、取付筒３２下部３２ａの外側に保持筒３５が垂設されており、容器Ａの口部１を囲むようになっている。
【００１９】
側板３１の下方部分には、切込み３６ａ，３６ｂ，３６ｃが入れられて、下端を接続部３７とする角形の係止板３８が設けられており、成形時に、係止板３８の上端部３９が側板３１の表面から突出するように成形され、下端の接続部３７を軸として内方に弾性変形するようになっている。
図５に示すように、側板３１は、容器ホルダーＢ肩部１１の挿通孔２０に嵌挿され、最下位置にまで押込まれたときに、係止板３８が復元して、その上端部３９が、容器ホルダーＢの窓２４の上端の係止面２３に係合圧接し、ポンプ支持枠Ｃが最下位置に保持されるようになっている。
【００２０】
ポンプＤ、および吐出ノズルＥは公知のもので、簡単に説明する。
図４に示すように、ポンプＤは、シリンダー４０とピストン（図示しない）およびシリンダー４０の底壁４１から垂設された吸込み筒４２とを具えている。
シリンダー４０は、取付筒３２内周に嵌挿され、取付環４３が、ねじを螺設したポンプＤ取付用のキャップ４４により、パッキンを介して取付筒３２に締着され、底壁４１が突出環３３に載置される。
【００２１】
吸込み筒４２の外周面には、シール保持溝４５が刻設され、突出環３３の下面との間にエラストマー、シリコンゴム等軟材質によって形成されるシール部材４６が保持されている。
【００２２】
ピストンのステム４７は、ピストンガイドによって上下に摺動案内され、ステム４７に吐出ノズルＥが嵌着されている。
ピストンとシリンダー４０の底壁４１の間に、吐出ノズルＥを上方に付勢するばねが弾装されている。
【００２３】
次に、本吐出容器の使用態様と作用効果について説明する。
容器Ａには、内容物として、化粧料、洗剤等が充填されている。
本吐出容器の使用にあたっては、図５に示すように、容器Ａのキャップを取り外して、口部１のネックリング６を容器ホルダーＢの保持溝１６に押込むようにして、容器ホルダーＢの収納ケース内に容器Ａを嵌挿する。
【００２４】
次いで、ポンプＤを取着したポンプ支持枠Ｃを、その側板３１を容器ホルダーＢの挿通孔２０に嵌挿させて押込んでいくと、係止板３８が内側に圧接して変形されるとともに、保持筒３５が容器口部１外周に係合し、容器口部１を正確に位置合わせさせつつ下降し、ポンプＤの吸込み筒４２外周を口部１内周に嵌合させる。
【００２５】
図６に示すように、ポンプ支持枠Ｃが最下位置に達すると、容器Ａ口部１はシール部材４６で密封され、同時に側板３１の係止板３８が復元して容器ホルダーＢの窓２４内に入り、係止板３８の上端部３９が窓２４の上端の係止面２３に係止され、最下位置が維持される。
かくして、本吐出容器のセットが完了する。
【００２６】
次に、内容液の吐出にあたっては、吐出ノズルＥを押下げると、ピストンが押下げられ、シリンダー４０内の内容液が吐出ノズルＥより吐出される。
吐出ノズルＥから手を離すと、ばねの付勢力によりピストンが上昇し、シリンダー室が負圧となるので、吸込み弁が開かれ、内容液がシリンダー室に吸込まれる。
その際、容器Ａの胴部３は薄肉であるので、胴部３が大気圧により扁平に押潰され、減容する。
【００２７】
ほとんどの内容液が吐出されたときに、係止板３８を内方に押圧すると、係止板３８の上端部３９が窓２４の上端の係止面２３から離れ、ポンプ支持枠Ｃの側板３１を上方に抜き出すことができ、ポンプＤを容器口部１から取り出すことができる。
【００２８】
容器の取替えにあたって、胴部３が扁平に押潰された容器Ａを容器ホルダーＢより取り出し、容器Ａを丸め込んでキャップをすることによって、減容廃棄ボトルとしてそのまま廃棄することができる。
【００２９】
次に、新しい容器Ａを容器ホルダーＢにセットし、前述のように、ポンプ支持枠Ｃを容器ホルダーＢに取り付けることによって、吐出容器がセットされる。
【００３０】
前記実施形態では、容器として扁平容器を採用したが、楕円ボトル、角形ボトルを用いて、容器ホルダーの断面形状をボトルに合わせるようにしてもよく、また、容器として内外層を薄肉としたデラミボトル、或いは口筒部を有する袋状のパウチであってもよい。
【００３１】
また、吐出ノズルに替え、噴霧ノズルを装着するようにしてもよく、ポンプの構成についても各種公知のものを採用することができ、実施例に限定されない。
【００３２】
【発明の効果】
本発明は、上記のように構成されているから、次の効果を奏する。
容器ホルダーに、胴部を薄肉とした容器を取り付け、ポンプを容器口部に装着するようにしたから、吐出終了後に新しい容器と簡単に取替えられ、使い終わった容器は、減容廃棄ボトルとして廃棄できるようになった。
そのため、資源の節減と、ごみの減容に貢献することができた。
【図面の簡単な説明】
【図１】本発明吐出容器の一部断面正面図である。
【図２】容器の斜視図である。
【図３】容器ホルダーの斜視図である。
【図４】ポンプ支持枠とポンプの説明図で（ａ）は斜視図、（ｂ）は断面正面図である。
【図５】容器の嵌挿時の説明図である。
【図６】吐出容器のセット完了時の説明図である。
【符号の説明】
Ａ          容器
Ｂ          容器ホルダー
Ｃ          ポンプ支持枠
Ｄ          ポンプ
Ｅ          吐出ノズル
１          口部
２          肩部
３          胴部
４          底部
６          ネックリング
７ａ，ｂ    円弧壁
８ａ，ｂ    側壁
９          凹部
１０        容器保持部
１１        肩部
１２        胴部
１３        底部
１４ａ，ｂ  壁面
１５        側周壁
１６        保持溝
１７        挿入口
１８        後壁
１９ａ，ｂ  側壁
２０        挿通孔
２１        円弧壁
２２ａ，ｂ  側壁
２３        係止面
２４        窓
２５        端縁
３０        台板
３１ａ，ｂ  側板
３２        取付筒
３３        突出環
３４        ねじ
３５        保持筒
３６ａ，ｂ，ｃ  切込み
３７        接続部
３８        係止板
３９        上端部
４０        シリンダー
４２        吸込み筒
４４        キャップ
４５        シール保持溝
４６        シール部材
【図１】
0004187951.tif 000002
【図２】
0004187951.tif 000003
【図３】
0004187951.tif 000004
【図４】
0004187951.tif 000005
【図５】
0004187951.tif 000006
【図６】
0004187951.tif 000007